(57)【要約】【課題】評価対象である利用者に個別に演奏評価結果を通知するカラオケ装置を提供する。【解決手段】マイクロフォン４０と、選曲された演奏曲とその演奏曲の選曲主体である利用者の携帯電話機６６を特定するための情報とを関連づけて記憶する予約曲テーブル９８と、演奏曲の出力に際して、予め定められた関係からマイクロフォン４０により入力される音声に関する情報に基づいて演奏の評価を行う演奏評価制御手段１０４と、その演奏評価制御手段１０４による評価結果を、評価の対象である演奏曲の選曲主体である利用者の携帯電話機６６に送信する演奏評価結果送信手段１０６とを、備えたものであることから、カラオケ演奏の評価結果を演奏者だけに通知することができる。【選択図】図４
2010085481.tif 000002
【特許請求の範囲】
【請求項１】
多数の演奏曲のうちから選択される所定の演奏曲を出力させるカラオケ装置であって、
音声を入力するための音声入力装置と、
選曲された演奏曲と該演奏曲の選曲主体である利用者の携帯電話機を特定するための情報とを関連づけて記憶する記憶装置と、
前記演奏曲の出力に際して、予め定められた関係から前記音声入力装置により入力される音声に関する情報に基づいて演奏の評価を行う演奏評価制御手段と、
該演奏評価制御手段による評価結果を、評価の対象である演奏曲の選曲主体である利用者の携帯電話機に送信する演奏評価結果送信手段と
を、備えたものであることを特徴とするカラオケ装置。
【請求項２】
前記記憶装置は、前記携帯電話機による選曲入力に際して、該選曲入力信号と共に送信される該携帯電話機の識別情報と選曲に係る演奏曲の選曲番号とを関連づけて記憶するものである請求項１に記載のカラオケ装置。
【請求項３】
前記演奏評価制御手段は、前記演奏曲の出力に際して、該演奏曲の音程及び／又はテンポに対する前記音声入力装置により入力される音声の音程及び／又はテンポの相対的なずれを算出するものであり、
前記演奏評価送信手段は、予め定められた関係から、前記演奏評価制御手段により算出される音程及び／又はテンポの相対的なずれに基づいて所定のコメントを、前記評価結果として評価の対象である演奏曲の選曲主体である利用者の携帯電話機に送信するものである請求項１又は２に記載のカラオケ装置。
【請求項４】
前記演奏評価送信手段は、前記演奏評価制御手段による評価結果を電子メールとしてインターネット回線を介して前記携帯電話機に送信するものである請求項１から３の何れか１項に記載のカラオケ装置。
【請求項５】
前記演奏評価送信手段は、前記演奏評価制御手段による評価結果を近距離無線通信により前記携帯電話機に送信するものである請求項１から３の何れか１項に記載のカラオケ装置。
【発明の詳細な説明】
【技術分野】
【０００１】
本発明は、多数の演奏曲のうちから選択される所定の演奏曲を出力させるカラオケ装置に関し、特に、その演奏評価機能の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に併行して画面に表示させることで、所望の歌のカラオケ演奏を楽しむことができる。
【０００３】
ところで、近年普及しているカラオケ装置には、上述のような音楽再生装置としての機能のみならず、マイクから入力される音声情報に基づいて歌唱力等を評価（採点）する演奏評価機能を備えたものがある。例えば、特許文献１に記載されたカラオケ装置がそれである。斯かるカラオケ装置によれば、音程、テンポ、音量等を基準としてマイクロフォンから入力される音声情報とカラオケ演奏曲の演奏情報とを比較することで、その入力される音声情報に応じて歌唱の評価を採点することができる。
【０００４】
【特許文献１】特開２００４−１０９２６４号公報
【０００５】
しかし、前述したような従来のカラオケ装置では、前記演奏評価の結果をカラオケ装置の映像表示装置にテロップとして表示させる態様が一般的であるが、特に評価が低かった場合等において、その評価結果がカラオケ演奏者全員の面前に晒されることで、評価の対象となった利用者が恥ずかしい思いをするおそれがあった。また、前記演奏評価の結果を、単に点数としてでなく詳細な分析結果として評価の対象となった利用者に通知することを考えた場合、従来のように前記カラオケ装置の映像表示装置に表示させる態様では、場の雰囲気を壊すおそれがあった。すなわち、評価対象である利用者に個別に演奏評価結果を通知するカラオケ装置は、未だ開発されていないのが現状である。
【発明の開示】
【発明が解決しようとする課題】
【０００６】
本発明は、以上の事情を背景として為されたものであり、その目的とするところは、評価対象である利用者に個別に演奏評価結果を通知するカラオケ装置を提供することにある。
【課題を解決するための手段】
【０００７】
斯かる目的を達成するために、本発明の要旨とするところは、多数の演奏曲のうちから選択される所定の演奏曲を出力させるカラオケ装置であって、音声を入力するための音声入力装置と、選曲された演奏曲とその演奏曲の選曲主体である利用者の携帯電話機を特定するための情報とを関連づけて記憶する記憶装置と、前記演奏曲の出力に際して、予め定められた関係から前記音声入力装置により入力される音声に関する情報に基づいて演奏の評価を行う演奏評価制御手段と、その演奏評価制御手段による評価結果を、評価の対象である演奏曲の選曲主体である利用者の携帯電話機に送信する演奏評価結果送信手段とを、備えたことを特徴とするものである。
【発明の効果】
【０００８】
このようにすれば、音声を入力するための音声入力装置と、選曲された演奏曲とその演奏曲の選曲主体である利用者の携帯電話機を特定するための情報とを関連づけて記憶する記憶装置と、前記演奏曲の出力に際して、予め定められた関係から前記音声入力装置により入力される音声に関する情報に基づいて演奏の評価を行う演奏評価制御手段と、その演奏評価制御手段による評価結果を、評価の対象である演奏曲の選曲主体である利用者の携帯電話機に送信する演奏評価結果送信手段とを、備えたものであることから、カラオケ演奏の評価結果を演奏者だけに通知することができる。すなわち、評価対象である利用者に個別に演奏評価結果を通知するカラオケ装置を提供することができる。
【０００９】
ここで、好適には、前記記憶装置は、前記携帯電話機による選曲入力に際して、その選曲入力信号と共に送信されるその携帯電話機の識別情報と選曲に係る演奏曲の選曲番号とを関連づけて記憶するものである。このようにすれば、選曲された演奏曲とその演奏曲の選曲主体である利用者の携帯電話機を特定するための情報とを実用的な態様で関連づけて記憶することができる。
【００１０】
また、好適には、前記演奏評価制御手段は、前記演奏曲の出力に際して、その演奏曲の音程及び／又はテンポに対する前記音声入力装置により入力される音声の音程及び／又はテンポの相対的なずれを算出するものであり、前記演奏評価送信手段は、予め定められた関係から、前記演奏評価制御手段により算出される音程及び／又はテンポの相対的なずれに基づいて所定のコメントを、前記評価結果として評価の対象である演奏曲の選曲主体である利用者の携帯電話機に送信するものである。このようにすれば、具体的で分かり易い演奏評価結果を評価対象である利用者に通知することができる。
【００１１】
また、好適には、前記演奏評価送信手段は、前記演奏評価制御手段による評価結果を電子メールとしてインターネット回線を介して前記携帯電話機に送信するものである。このようにすれば、評価対象である利用者の携帯電話機に実用的な態様で評価結果を送信することができる。
【００１２】
また、好適には、前記演奏評価送信手段は、前記演奏評価制御手段による評価結果を近距離無線通信により前記携帯電話機に送信するものである。このようにすれば、評価対象である利用者の携帯電話機に実用的な態様で評価結果を送信することができる。
【発明を実施するための最良の形態】
【００１３】
以下、本発明の好適な実施例を図面に基づいて詳細に説明する。
【実施例】
【００１４】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）の本発明の一実施例であるカラオケ装置１６ａ、１６ｂ、１６ｃ、・・・（以下、特に区別しない場合には単にカラオケ装置１６と称する）が設置されている。これら複数のカラオケ装置１６は、ルータ２８を介して公衆電話回線等による通信回線１８に接続されており、同じくその通信回線１８に接続されたカラオケサービス提供会社のサーバ装置（センタ装置）２０との相互間でその通信回線１８を介して情報の通信が可能とされている。このサーバ装置２０は、カラオケ情報（楽曲データ）、背景映像情報、曲間情報等のデジタルコンテンツ（Digital Contents）の保管や入出力管理の基本的な制御を行うサーバであり、上記通信回線１８を介して上記カラオケ装置１６に定期的にコンテンツの配信を行うと共に、そのカラオケ装置１６からの要求に応じて所定の機能制御プログラムを送信するものである。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台乃至数台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１５】
図２は、上記カラオケ装置１６の構成を例示するブロック線図である。この図２に示すように、上記カラオケ装置１６は、ＣＲＴ（Cathode-ray Tube）やＴＦＴ（Thin Film Transistor Liquid Crystal）等の映像表示装置３０と、ＣＲＴコントローラ等の映像出力制御部３２と、映像情報デコーダ３４と、ビデオミキサ３６と、音源であるシンセサイザ３８と、音声入力装置であるマイクロフォン４０と、Ａ／Ｄコンバータ４１と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２２やリモコン装置６４等の入力装置からのリモコン信号を受信するためのリモコン受信部６２と、ブルートゥースモジュール６３とを、備えて構成されている。
【００１６】
前記映像出力制御部３２は、前記ＣＰＵ５０において生成された歌詞文字映像等の文字映像（テロップ）を出力する文字映像出力装置として機能する他、前記映像表示装置３０による種々の映像表示を制御する表示制御装置である。また、前記映像情報デコーダ３４は、利用者が歌詞を参照しながら歌を歌う際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサ３６へ送られる。また、そのビデオミキサ３６は、前記ＣＰＵ５０において生成され且つ前記映像出力制御部３２から出力される文字映像と、前記映像情報デコーダ３４により再生される背景映像とを合成して前記映像表示装置３０に表示させる映像合成装置である。
【００１７】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されて前記スピーカ４４から出力される。また、前記Ａ／Ｄコンバータ４１は、音声入力装置である前記マイクロフォン４０から入力されるアナログ信号としての音声情報をディジタル信号に変換して前記ＣＰＵ５０等へ供給する。
【００１８】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置６４が備えられており、前記リモコン受信部６２は、そのリモコン装置６４から送信されるリモコン信号を受信して前記ＣＰＵ５０へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。また、後述するようにリモコン信号送信機能が備えられた携帯電話機６６も同様に前記カラオケ装置１６の入力装置として機能し、その携帯電話機６６から送信される信号が上記リモコン受信部６２を介して前記ＣＰＵ５０等に供給される。
【００１９】
前記ＣＰＵ５０は、前記ＲＡＭ５４の一時記憶機能を利用しつつ前記ＲＯＭ５２に予め記憶された所定のプログラムに基づいて電子情報を処理・制御する所謂マイクロコンピュータであり、前記電子早見本装置２２やリモコン装置６４等により所定のカラオケ演奏曲が選曲された場合、その選曲されたカラオケ演奏曲を前記ＲＡＭ５４に設けられた予約曲テーブル９８（図４を参照）に登録したり、その予約曲テーブル９８の演奏順に従って前記ハードディスク５６から前記ＲＡＭ５４に選曲されたカラオケ演奏曲の演奏情報及び歌詞情報等を読み出したり、カラオケ演奏曲の演奏が進行するのに応じてそのＲＡＭ５４から前記シンセサイザ３８へ演奏情報を送信したり、歌詞情報に基づいて歌詞文字映像を生成して前記映像出力制御部３２へ送ったり、選曲時には曲名文字映像を生成して前記映像出力制御部３２へ送ったり、前記映像情報デコーダ３４を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ装置２０との間の情報通信制御等の基本的な制御に加えて、後述する演奏評価制御乃至演奏評価結果送信制御等を実行する。
【００２０】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム５８はそのマスターコマンダとして機能するカラオケ装置１６には必要とされるが、そのマスターコマンダを介して前記サーバ装置２０との間で情報の通信を行う他のカラオケ装置１６には必ずしも設けられなくともよい。
【００２１】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ５４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。また、斯かるＬＡＮ２４及びアクセスポイント２６を介して、前記複数の電子早見本装置２２相互間でも情報の通信が行われる。
【００２２】
前記ブルートゥースモジュール６３は、同様にブルートゥース通信部を有する通信式情報端末である携帯電話機６６等から送信されたブルートゥース信号を受信して前記ＣＰＵ５０へ供給すると共に、そのＣＰＵ５０から出力されたブルートゥース信号を送信する近距離無線通信装置であり、無線信号としてのブルートゥース信号を介して情報の送受信を行う。後述する演奏評価結果送信制御における前記カラオケ装置１６から携帯電話機６６への演奏評価結果の送信は、好適にはこのブルートゥースモジュール６３を介しての近距離無線通信により行われる。
【００２３】
前記ハードディスク５６には、カラオケ演奏曲を出力させるための多数のカラオケデータ（楽曲データ）を記憶するカラオケデータベース１００（図４を参照）をはじめとする各種データベースが設けられている。カラオケボックス等の店舗にそれぞれ備えられた複数のカラオケ装置１６のうち所定のカラオケ装置１６例えば前記カラオケ装置１６ａは、前記モデム５８を介して前記通信回線１８に接続されており、前記複数のカラオケ装置１６によって常に新しい曲が演奏可能とされるように、随時新たなカラオケデータ等が前記サーバ装置２０から前記通信回線１８を介して配信され、前記ハードディスク５６のカラオケデータベース１００等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、上記カラオケデータベース１００等の内容が等価なものとされる。
【００２４】
図３は、前記携帯電話機６６の構成を例示する図である。この図３に示すように、前記携帯電話機６６は、中央演算処理装置であるＣＰＵ６８と、読出専用メモリであるＲＯＭ７０と、随時書込読出メモリであるＲＡＭ７２と、フラッシュＲＯＭ等の記憶部７４と、表示部７６と、操作部７８と、ブルートゥースモジュール８０と、アンテナ８２と、送受信部８４と、モデム部８６と、音声コーディック部８８と、アナログフロントエンド９０と、スピーカ９２と、音声入力装置であるマイクロフォン９４と、前記カラオケ装置１６にリモコン信号（赤外線信号）を送信するための情報送信部としてのリモコン送信部９６とを、備えて構成されている。
【００２５】
上記ＣＰＵ６８は、随時書込読出メモリであるＲＡＭ７２の一時記憶機能を利用しつつ読出専用メモリであるＲＯＭ７０に予め記憶されたプログラムに従って信号処理を行う所謂マイクロコンピュータであり、所定の文字ボタン等を備えた操作部７８からの入力に従って文字入力が実行されるように制御したり、その操作部７８から入力された電話番号に従って通信或いは通話チャンネルを成立させると共に相互の通信或いは通話が可能となるように制御したり、その操作部７８から入力されたＵＲＬに従って所定のウェブサイトにアクセスしたり、メールの作成及び送受信を制御する等の基本的な制御に加えて、後述する選曲入力信号送信制御乃至演奏評価結果表示制御等を実行する。
【００２６】
前記携帯電話機６６において、例えばその通話状態においては、前記アンテナ８２を介して送受信部８４に受けた通話信号等がモデム部８６を介して音声コーディック部８８においてデジタルコード信号から音声信号に変換され、アナログフロントエンド９０によりスピーカ９２が駆動されて音声が出力される。同時に、前記マイクロフォン９４により音声から変換された音声信号が前記アナログフロントエンド９０を介して前記音声コーディック部８８に送られてそこでディジタル信号に変換され、前記モデム部８６、送受信部８４、及びアンテナ８２を介して送信される。また、通信状態において、前記ＣＰＵ６８は、前記操作部７８から入力された信号を通信先へ送信すると同時に、通信先から受信された信号を表示部７６に表示させる制御を行う。また、他の通信端末からの着信があったと判定される場合には、前記記憶部７４に予め記憶された着信メロディ情報を読み出し、その着信メロディ情報に基づいて図示しない音源部により所定のメロディ（呼出音）を発生させて前記スピーカ９２から出力させたり、呼出音非出力モードにおいては図示しないバイブレータを駆動させて振動を発生させたりする。
【００２７】
前記ブルートゥースモジュール８０は、同様にブルートゥース通信部を有する前記カラオケ装置１６等から送信されたブルートゥース信号を受信して前記ＣＰＵ６８へ供給すると共に、そのＣＰＵ６８から出力されたブルートゥース信号を送信する近距離無線通信装置であり、無線信号としてのブルートゥース信号を介して情報の送受信を行う。後述する演奏評価結果表示制御における前記カラオケ装置１６から送信される演奏評価結果の受信は、好適にはこのブルートゥースモジュール８０を介しての近距離無線通信により行われる。
【００２８】
図４は、前記カラオケ装置１６のＣＰＵ５０及び携帯電話機６６のＣＰＵ６８に備えられた制御機能の要部を説明する機能ブロック線図である。この図４に示す選曲入力信号送信手段１０２及び演奏評価結果表示手段１０８は、前記携帯電話機６６のＣＰＵ６８に機能的に備えられたものであり、演奏評価制御手段１０４及び演奏評価結果送信手段１０６は、前記カラオケ装置１６のＣＰＵ５０に機能的に備えられたものである。以下、これらの制御について詳述する。
【００２９】
上記選曲入力信号送信手段１０２は、前記操作部７８による入力操作に応じて所定の演奏曲の選曲入力を行うための選曲入力信号を前記カラオケ装置１６へ送信する。前記携帯電話機６６において、好適には、前記ＲＡＭ７２乃至記憶部７４には、前記カラオケ装置１６のカラオケデータベース１００に記憶された多数のカラオケ情報それぞれに対応して曲名、アーティスト名、属性情報、歌詞の歌い出し部分等の選曲案内情報、及び備考等を選曲番号毎に記憶する演奏曲データベースが設けられており、上記選曲入力信号送信手段１０２は、その演奏曲データベースに記憶された情報に基づいて前記表示部７６に所定の選曲入力画面を表示させると共に、その選曲入力画面の表示に基づく前記操作部７８による入力操作に応じて所定の演奏曲の選曲入力信号（好適にはその演奏曲の選曲番号）を、前記リモコン送信部９６を介してリモコン信号として前記カラオケ装置へ送信する。ここで、この選曲入力信号は、前記ブルートゥースモジュール８０を介してブルートゥース信号として送信されるものであってもよい。また、上記選曲入力信号送信手段１０２は、好適には、上記選曲入力信号と共にその送信元である携帯電話機６６を識別するための識別情報（例えばｕｉｄ等）を前記カラオケ装置１６へ送信する。
【００３０】
上述のようにして上記選曲入力送信手段１０２により送信された選曲入力信号は、前記カラオケ装置１６においてリモコン受信部６２により受け付けられ、前記ＲＡＭ５４に設けられた予約曲テーブル９８に予約順に記憶される。ここで、好適には、斯かる選曲入力信号と共に受信された携帯電話機６６の識別情報がその選曲入力信号に対応する選曲番号と対応付けられてその予約曲テーブル９８に記憶される。すなわち、上記ＲＡＭ５４は、前記携帯電話機６６による選曲入力に際して、その選曲入力信号と共に送信されるその携帯電話機６６の識別情報と選曲に係る演奏曲の選曲番号とを関連づけて記憶する記憶装置に相当する。なお、この携帯電話機６６を特定するための識別情報は、その携帯電話機６６の選曲入力に際して別途入力させる等、他の方法で前記カラオケ装置１６に入力（送信）されるものであってもよく、更には、前記ブルートゥースモジュール８０を介して名刺の交換を行うといった態様も考えられる。
【００３１】
前記演奏評価制御手段１０４は、前記カラオケ装置１６による演奏曲の出力に際して、予め定められた関係から音声入力装置である前記マイクロフォン４０により入力される音声（Ａ／Ｄコンバータ４１によりディジタル信号に変換された音声信号）に関する情報に基づいて演奏の評価を行う。好適には、前記演奏曲のカラオケデータに含まれる演奏情報（ＭＩＤＩデータ）における音程及び／又はテンポを評価基準として、前記マイクロフォン４０からＡ／Ｄコンバータ４１を介して入力される音声情報の音程及び／又はテンポの相対的なずれを算出する。また、ここで、前記マイクロフォン４０からＡ／Ｄコンバータ４１を介して入力される音声情報の音量（絶対的な声量）を評価の対象に含めてもよい。この評価の態様としては、例えば、千点満点中何点というように数値的に採点を行うものであってもよいし、２０段階評定の何れに当てはまるかを判定するというように簡易なものであってもよい。また、好適には、対象となる演奏曲が出力される間すなわち演奏開始から演奏終了までの間に所定のタイミングで複数回、例えばその演奏曲における所定のフレーズ（楽句）毎に上記評価を行い、演奏終了時に最終的な評価を算出する。
【００３２】
また、前記演奏評価制御手段１０４は、好適には、予め定められた関係から上記評価結果に基づいて所定のコメントを作成する。前記カラオケ装置１６において、好適には、上述のようにして算出される音程及び／又はテンポの相対的なずれ或いは音量に対応して所定のコメントを作成するための情報が前記ハードディスク５６等の記憶装置に記憶されている。例えば、音程の評価を±１０の範囲内（０が基準）、テンポの評価を±１０の範囲内（０が基準）、音量の評価を０〜１０の範囲内（１０が最高点）で行う演奏評価制御において、音程の評価結果が−１、テンポの評価結果が−３、音量の評価結果が８であった場合、前記ハードディスク５６等に記憶された関係に基づいて「音程少し低かったです」、「テンポかなり遅れてます」、「声の大きさはいい感じ！」等のコメントを作成する。また、音程及びテンポの少なくとも一方が予め定められた閾値の範囲外（例えば＋５以上、乃至−５以下）であった場合、「全然ダメです！  はっきり言ってヘタ過ぎ！」等、演奏停止を促す定型のコメントを作成する。なお、このコメントは以下に詳述する演奏評価結果送信手段１０６によって作成されるものであってもよい。
【００３３】
前記演奏評価結果送信手段１０６は、前記演奏評価制御手段１０４による評価結果を、評価の対象である演奏曲の選曲主体である利用者の携帯電話機６６に送信する。具体的には、前記演奏評価制御手段１０４による評価に係る演奏曲と関連づけられて前記予約曲テーブル９８に記憶された識別情報に対応する携帯電話機６６に対して、その評価結果を前記ブルートゥースモジュール６３を介して近距離無線通信により送信する。また、好適には、前記演奏評価制御手段１０４により作成された演奏評価結果に応じたコメントに対応するテロップを所定の画像に合成し、例えば図５乃至図６に示すように前記携帯電話機６６の表示部７６に表示可能な情報（例えばテキスト及び画像を含むｘｍｌデータ）として前記携帯電話機６６に送信する。或いは、前記演奏評価制御手段１０４により作成された演奏評価結果に応じたコメントをテキスト情報として対象となる携帯電話機６６に送信するものであってもよい。更に、前記演奏評価結果送信手段１０６は、前記演奏評価制御手段１０４による評価（中途評価）が行われる毎にすなわち演奏開始から演奏終了までの間に所定のタイミングで複数回斯かる評価結果を送信するものであってもよいし、対象となる演奏曲の演奏終了後に初めてその評価結果を送信するものであってもよい。
【００３４】
前記演奏評価結果表示手段１０８は、前記演奏評価結果送信手段１０６から送信されて前記ブルートゥースモジュール８０を介して受信された前記評価結果に相当する評価結果映像を前記表示部７６に表示させる。図５及び図６は、この演奏評価結果表示手段１０８により前記表示部７６に表示される評価結果映像を例示する図であり、図５は前記演奏評価制御手段１０４の制御において説明した音程の評価結果が−１、テンポの評価結果が−３、音量の評価結果が８であった場合、図６は音程及びテンポの少なくとも一方が予め定められた閾値の範囲外（例えば＋５以上、乃至−５以下）であった場合にそれぞれ対応するものである。この演奏評価結果表示手段１０８は、前記演奏評価結果送信手段１０６から送信される情報（例えばｘｍｌデータ等）をそのまま表示させるものであってもよいが、その演奏評価結果送信手段１０６から送信されるテキスト情報に基づいて図５乃至図６に示すような画像を含む評価結果映像を表示させるというように、前記演奏評価結果送信手段１０６から送信される情報に予め定められた他の情報を合成して斯かる評価結果映像を作成し、表示させるものであってもよい。
【００３５】
図７は、前記カラオケ装置１６のＣＰＵ５０による演奏評価送信制御の要部を説明するフローチャートであり、所定の周期で繰り返し実行されるものである。なお、この図７に示す制御においては、演奏曲の出力と併行して実行される歌詞文字映像表示制御乃至歌詞文字映像色替制御については、その説明を省略している。
【００３６】
先ず、ステップ（以下、ステップを省略する）Ｓ１において、先に演奏されていた演奏曲のカラオケ演奏が終了する等して、前記予約曲テーブル９８において最上位に記憶された演奏曲のカラオケ演奏が開始されるか否かが判断される。このＳ１の判断が否定される場合には、それをもって本ルーチンが終了させられるが、Ｓ１の判断が肯定される場合には、Ｓ２において、前記予約曲テーブル９８において最上位に記憶された演奏曲のカラオケデータが前記カラオケデータベース１００から読み出されて前記ＲＡＭ５４に展開されると共に、その演奏曲と関連づけられて前記予約曲テーブル９８に記憶された携帯電話機６６の識別情報が読み出される。次に、Ｓ３において、前記ＲＡＭ５４に展開されたカラオケデータにおける演奏情報（ＭＩＤＩデータ）に基づき前記シンセサイザ３８を介してカラオケ演奏制御が実行される。次に、Ｓ４において、予め定められた関係から前記マイクロフォン４０により入力される音声に関する情報に基づいて演奏評価制御が実行される。次に、Ｓ５において、演奏評価結果の送信タイミングであるか否かが判断される。このＳ５の判断が否定される場合には、Ｓ７以下の処理が実行されるが、Ｓ５の判断が肯定される場合には、Ｓ６において、Ｓ４による演奏評価結果（演奏中途評価）が前記ブルートゥースモジュール６３を介して対象となる携帯電話機６６へ送信された後、Ｓ７において、カラオケ演奏終了であるか否かが判断される。このＳ７の判断が否定される場合には、Ｓ３以下の処理が実行されるが、Ｓ７の判断が肯定される場合には、Ｓ８において、Ｓ４による演奏評価結果が集計されて演奏全体を通しての総合評価結果が算出されると共に、その評価結果が前記ブルートゥースモジュール６３を介して対象となる携帯電話機６６へ送信された後、本ルーチンが終了させられる。以上の制御において、Ｓ４及びＳ８が前記演奏評価制御手段１０４の動作に、Ｓ６及びＳ８が前記演奏評価結果送信手段１０６の動作にそれぞれ対応する。
【００３７】
このように、本実施例によれば、音声を入力するための音声入力装置としてのマイクロフォン４０と、選曲された演奏曲とその演奏曲の選曲主体である利用者の携帯電話機６６を特定するための情報とを関連づけて記憶する記憶装置としてのＲＡＭ５４（予約曲テーブル９８）と、前記演奏曲の出力に際して、予め定められた関係から前記マイクロフォン４０により入力される音声に関する情報に基づいて演奏の評価を行う演奏評価制御手段１０４（Ｓ４及びＳ８）と、その演奏評価制御手段１０４による評価結果を、評価の対象である演奏曲の選曲主体である利用者の携帯電話機６６に送信する演奏評価結果送信手段１０６（Ｓ６及びＳ８）とを、備えたものであることから、カラオケ演奏の評価結果を演奏者だけに通知することができる。すなわち、評価対象である利用者に個別に演奏評価結果を通知するカラオケ装置１６を提供することができる。
【００３８】
また、前記予約曲テーブル９８は、前記携帯電話機６６による選曲入力に際して、その選曲入力信号と共に送信されるその携帯電話機６６の識別情報と選曲に係る演奏曲の選曲番号とを関連づけて記憶するものであるため、選曲された演奏曲とその演奏曲の選曲主体である利用者の携帯電話機６６を特定するための情報とを実用的な態様で関連づけて記憶することができる。
【００３９】
また、前記演奏評価制御手段１０４は、前記演奏曲の出力に際して、その演奏曲の音程及び／又はテンポに対する前記マイクロフォン４０により入力される音声の音程及び／又はテンポの相対的なずれを算出するものであり、前記演奏評価送信手段１０６は、予め定められた関係から、前記演奏評価制御手段１０４により算出される音程及び／又はテンポの相対的なずれに基づいて所定のコメントを、前記評価結果として評価の対象である演奏曲の選曲主体である利用者の携帯電話機６６に送信するものであるため、具体的で分かり易い演奏評価結果を評価対象である利用者に通知することができる。
【００４０】
また、前記演奏評価送信手段１０６は、前記演奏評価制御手段１０４による評価結果を前記ブルートゥースモジュール６３を介して近距離無線通信により前記携帯電話機６６に送信するものであるため、評価対象である利用者の携帯電話機６６に実用的な態様で評価結果を送信することができる。
【００４１】
以上、本発明の好適な実施例を図面に基づいて詳細に説明したが、本発明はこれに限定されるものではなく、更に別の態様においても実施される。
【００４２】
例えば、前述の実施例において、前記演奏評価送信手段１０６は、前記演奏評価制御手段１０４による評価結果を前記ブルートゥースモジュール６３を介して近距離無線通信により前記携帯電話機６６に送信するものであったが、本発明はこれに限定されるものではなく、例えば、前記演奏評価制御手段１０４による評価結果を電子メールとしてインターネット回線（通信回線１８）を介して前記携帯電話機６６に送信するものであってもよい。斯かる態様によっても評価対象である利用者の携帯電話機６６に実用的な態様で評価結果を送信することができる。
【００４３】
また、前述の実施例では特に言及していないが、前記演奏評価送信手段１０６は、前記演奏評価制御手段１０４による評価結果に加えて、前記予約曲テーブル９８に記憶された予約曲の曲数に対応する「閉店が間もなくなのに曲が１０曲も予約されてるから２コーラスくらいでやめておいた方がいいよ」といったコメントや、前記携帯電話機６６に記憶された公共交通機関の定期券に相当する情報等に対応する「いつもは帰ってる時間だけど終電大丈夫？」といったコメントを対象となる携帯電話機６６に送信するものであってもよい。
【００４４】
その他、一々例示はしないが、本発明はその趣旨を逸脱しない範囲内において種々の変更が加えられて実施されるものである。
【図面の簡単な説明】
【００４５】
【図１】本発明が好適に適用されるカラオケシステムを説明する概略図である。
【図２】本発明の一実施例であるカラオケ装置の構成を例示するブロック線図である。
【図３】図２のカラオケ装置の入力装置として用いられる携帯電話機の構成を例示する図である。
【図４】図２のカラオケ装置のＣＰＵ及び図３の携帯電話機のＣＰＵに備えられた制御機能の要部を説明する機能ブロック線図である。
【図５】図２のカラオケ装置による演奏評価結果に対応して図３の携帯電話機の表示部に表示される評価結果映像の一例を示す図である。
【図６】図２のカラオケ装置による演奏評価結果に対応して図３の携帯電話機の表示部に表示される評価結果映像の他の一例を示す図である。
【図７】図２のカラオケ装置のＣＰＵによる演奏評価送信制御の要部を説明するフローチャートである。
【符号の説明】
【００４６】
１６：カラオケ装置
４０：マイクロフォン（音声入力装置）
５４：ＲＡＭ（記憶装置）
６６：携帯電話機
１０４：演奏評価制御手段
１０６：演奏評価結果送信手段
【図１】
2010085481.tif 000003
【図２】
2010085481.tif 000004
【図３】
2010085481.tif 000005
【図４】
2010085481.tif 000006
【図５】
2010085481.tif 000007
【図６】
2010085481.tif 000008
【図７】
2010085481.tif 000009